(57)【特許請求の範囲】
【請求項１】
通水性濾過性のフィルターシートから形成され、内部に抽出材料が充填された袋本体、袋本体の上部開口部を覆う通水性のカバーシート、及び袋本体を容器に掛止させる掛止部材を備えたドリップバッグであって、
掛止部材が袋本体の表面に貼着された薄板状材料からなり、
袋本体の上部開口部において、フィルターシートの縁辺とカバーシートの縁辺が内面同士対向してシールされ、このシール部が袋本体の上部開口部の縁部となっていることを特徴とするドリップバッグ。
【請求項２】
袋本体の底部が、フィルターシートの折山から形成されている請求項１記載のドリップバッグ。
【請求項３】
掛止部材が、対向する二面の外表面にそれぞれ貼着されており、各掛止部材に、袋本体表面から引き起こし可能に形成された掛止片が設けられている請求項１又は２記載のドリップバッグ。
【請求項４】
請求項１記載のドリップバッグを帯状の掛止部材付フィルターシートと帯状のカバーシートから製造する方法であって、
帯状の掛止部材付フィルターシートが、帯状のフィルターシートに掛止部材を該掛止部材のドリップバッグにおける上辺を帯状のフィルターシートの長手方向の縁辺に向けて所定間隔で貼着したものからなり、
帯状の掛止部材付フィルターシートを、その長手方向に折山ができ、掛止部材の貼着面が外側になるように折り曲げると共に、帯状のカバーシートを、その長手方向に折山ができるように折り曲げ、
帯状の掛止部材付フィルターシートの折山の内側に帯状のカバーシートの折山を挿入し、これらのシートの縁辺同士をシールし、
次いで、これらのシートを、所定間隔で貼着されている掛止部材間でシートの幅方向に順次シールすると共に、このシールにより形成される袋状部分の内部に抽出材料を充填することを特徴とするドリップバッグの製造方法。
【発明の詳細な説明】
【技術分野】
【０００１】
本発明は、カップ等の容器の上部に掛止することにより、容易にドリップ式でコーヒー等の抽出液を得られるようにするドリップバッグに関する。
【背景技術】
【０００２】
一杯分のコーヒーを本格的なペーパードリップ方式で手軽に入れられるようにするドリップバッグとして、通水性濾過性のシートからなる袋本体にコーヒー粉を充填し、その袋本体の側面に掛止部材を貼着したものが使用されている（特許文献１）。
【０００３】
また、このようなドリップバッグにおいて、注湯口を開くために袋本体の上端部を切り裂く時に、袋本体内に充填されているコーヒー粉が飛散したり、注湯時に袋本体からコーヒー粉が溢れ出だしたりすることを防止するため、また、ドリップ時にコーヒー粉に蒸らし効果を付与するため、袋本体の上部開口部に通水性のカバーシートを設けたものが提案されている（特許文献２）。
【０００４】
このカバーシート付ドリップバッグの製造時には、図６Ａに示すように、予め、袋本体用の帯状の通水濾過性のフィルターシート１に掛止部材２０を所定間隔で貼着しておいた掛止部材付フィルターシート２を、帯状のカバーシート３の両側に貼り合わせて幅広の貼り合わせシート４を作製し、それを製袋充填機（図示せず）にかけ、図６Ｂに示すように、貼り合わせシート４の両側縁部同士を重ねてシールすることにより、ドリップバッグの底辺となるシール部分５を形成し、そのシール部分５と反対側でフィルターシート１が対向している間にカバーシート３を矢印のように押し込みつつフィルターシート１を幅方向にシールすることによりドリップバッグの一側縁となるシール部分６を形成し、次いで袋状になった貼り合わせシート４内にコーヒー粉７を充填し、再度、貼り合わせシート４を幅方向にシールすることによりドリップバッグのもう一方の側縁となるシール部分６を形成し、この幅方向のシール部６の形成とコーヒー粉７の充填を繰り返す。また、このシール部分６の形成時に、先にコーヒー粉７の充填が終わっている部分を切り離して個々のドリップバッグ１０を得る。図７は、こうして得られるドリップバッグ１０の断面図である。
【０００５】
【特許文献１】特開2004-230143号公報
【特許文献２】特開2006-320597号公報
【発明の開示】
【発明が解決しようとする課題】
【０００６】
しかしながら、上述のカバーシート付きドリップバッグの製造方法によれば、帯状の掛止部材付フィルターシート２と帯状のカバーシート３とを予め貼り合わせておく工程が必要となり、カバーシートの無い従前のドリップバッグの製造工程に比して煩雑である。
【０００７】
また、上述の製造方法で得られるカバーシート付ドリップバッグ１０では、注湯口の形状がフィルターシートの押し込みのみによって形成されるため、注湯口の縁辺がきれいなライン状とならない。さらに、ドリップ時に底辺のシール部６が剥がれ、コーヒー粉７が袋本体から洩れるおそれがある。
【０００８】
これに対し、本発明は、袋本体の上部開口部にカバーシートを設けたドリップバッグであって、カバーシートが設けられていない従前のドリップバッグと略同様の簡便な工程で製造することができ、注湯口の外観もすっきりとしたドリップバッグを提供することを目的とする。
【課題を解決するための手段】
【０００９】
本発明者は、掛止部材付フィルターシートとして、帯状のフィルターシートにドリップバッグの掛止部材を特定方向に貼着したものを使用し、その掛止部材付フィルターシートを長手方向に折山ができるように折り曲げ、一方、帯状のカバーシートも長手方向に折山ができるように折り曲げ、これらの折山を重ねるようにして掛止部材付フィルターシート縁辺とカバーシートの縁辺とをシールすると、帯状の掛止部材付フィルターシートと帯状のカバーシートとを予め貼り合わせておくことが不要となること、さらに、こうして得られたドリップバッグは、注湯口の縁部が、フィルターシートの縁辺とカバーシートの縁辺とのシール部となることによりきれいなライン状となり、注湯口の外観が向上すること、また、袋本体の底部から抽出材料が洩れるおそれがないことを見出した。
【００１０】
即ち、本発明は、通水性濾過性のフィルターシートから形成され、内部に抽出材料が充填された袋本体、袋本体の上部開口部を覆う通水性のカバーシート、及び袋本体を容器に掛止させる掛止部材を備えたドリップバッグであって、
掛止部材が袋本体の表面に貼着された薄板状材料からなり、
袋本体の上部開口部において、フィルターシートとカバーシートの縁辺が内面同士対向してシールされていることを特徴とするドリップバッグを提供する。
【００１１】
また、本発明は、上述のドリップバッグを帯状の掛止部材付フィルターシートと帯状のカバーシートから製造する方法であって、
帯状の掛止部材付フィルターシートが、帯状のフィルターシートに掛止部材を該掛止部材のドリップバッグにおける上辺を帯状のフィルターシートの長手方向の縁辺に向けて所定間隔で貼着したものからなり、
帯状の掛止部材付フィルターシートを、その長手方向に折山ができ、掛止部材の貼着面が外側になるように折り曲げると共に、帯状のカバーシートを、その長手方向に折山ができるように折り曲げ、
帯状の掛止部材付フィルターシートの折山の内側に帯状のカバーシートの折山を挿入し、これらのシートの縁辺同士をシールし、
次いで、これらのシートを、所定間隔で貼着されている掛止部材間でシートの幅方向に順次シールすると共に、このシールにより形成される袋状部分の内部に抽出材料を充填することを特徴とするドリップバッグの製造方法を提供する。
【発明の効果】
【００１２】
本発明によれば、製袋充填機を用いてカバーシート付ドリップバッグを工業的に製造するにあたり、帯状の掛止部材付フィルターシートと帯状のカバーシートとを予め貼り合わせることが不要となり、カバーシート付ドリップバッグを低コストで生産性高く製造することが可能となる。
【００１３】
また、本発明のドリップバッグによれば、注湯口となる袋本体の上部開口部の縁辺が、フィルターシートの縁辺とカバーシートの縁辺とのシール部となっているので、すっきりとしたライン状となり、外観が向上する。
【００１４】
さらに、本発明のドリップバッグによれば、袋本体の底部が折山から形成され、底辺にシール部がないため、底辺のシールが剥がれて抽出材料がこぼれ落ちるおそれもない。
【発明を実施するための最良の形態】
【００１５】
以下、図面を参照しつつ本発明を詳細に説明する。なお、各図中、同一符号は同一又は同等の構成要素を表している。
【００１６】
図１（ａ）は、本発明の一実施例のドリップバッグ１０Ａの平面図であり、同図（ｂ）、（ｃ）は、それぞれその使用状態の説明図である。
【００１７】
このドリップバッグ１０Ａは、通水性濾過性のフィルターシート１からなる袋本体１１、袋本体１１の上部開口部を覆う通水性のカバーシート３、及び袋本体１１の内部に充填された抽出材料１２からなり、袋本体１１の対向する二面の外表面には、それぞれ掛止部材２０Ａと補強片２１が貼着されている。
【００１８】
ここで、抽出材料１２としては、コーヒー粉、緑茶、紅茶、ハーブ茶等の茶葉、漢方薬、ダシ等をあげることができる。
【００１９】
袋本体１１は、その底部１３がフィルターシート１の折山から形成され、両側縁にシール部１４が形成された矩形の平袋状になっている。
【００２０】
袋本体１１を形成する通水性濾過性のフィルターシート１としては、このフィルターシートで形成した袋本体１１に抽出材料１２を入れ、注湯した場合に、抽出材料１２の浸出が可能であるものを種々使用することができる。一般に、浸出用シートとしては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類が知られており、本発明においてもこれらを使用することができる。特に、ドリップバッグの使用後の廃棄性の点から、フィルターシートには生分解性繊維を含有させることが好ましい。生分解性繊維としては、ポリ乳酸、ポリブチレンサクシネート、ポリエチレンサクシネート等をあげることができる。また、抽出材料をコーヒー粉とする場合には、ドリップ時にコーヒー粉に適度な蒸らし効果を付与できるようにするため、フィルターシートは、その空隙率を調整することによりコーヒー粉に直接接することとなる層を「疎」とし、直接には接しない層を「密」とする疎密の複層構造とし、かつコーヒー粉に直接接することとなる層では疎水性繊維の含有率を高め、コーヒー粉に直接接しない層では疎水性繊維の含有率を下げたものが好ましい（特許第3674486号）。
【００２１】
通水性のカバーシート３としては、袋本体１１内から抽出材料１２が洩れず、通水性がよく、透明性の高いものが好ましく、例えば、ＷＯ２００４／００３２７７、ＷＯ２００３／０４８４３９等に記載されている不織布や、特開２００５−１７９５７８号公報に記載されているフィルムに通水用の孔をあけたもの等を使用することができる。
【００２２】
本発明においては、図２の断面図に示すように、袋本体１１の上部開口部１５において、上述したフィルターシート１とカバーシート３の縁辺が、内面１ａ、３ａ同士を対向させてシールされ、このシール部１６が上部開口部１５の縁部となっていることを特徴としている。これにより、注湯口となる上部開口部１５の輪郭が１本のライン状となって外観が向上し、また、注湯口が明確になることにより使い勝手も向上する。これに対し、図７に示すように、フィルターシート１とカバーシート３の縁辺においてそれらの内面１ａ、３ａ同士が対向することなく、フィルターシートの内面１ａとカバーシートの外面３ｂとが対向してシールされている場合や、フィルターシートの外面とカバーシートの内面が対向してシールされている態様は含まない。
【００２３】
また、本発明によれば、袋本体１１の底部１３が折山から形成されていることにより底辺にシール部がないので、図７のドリップバッグ１０のように、抽出時に底辺のシール部６が剥がれて抽出材料が洩れるおそれもない。
【００２４】
一方、掛止部材２０Ａは、袋本体１１をカップ４０等の容器に掛止させるために設けられており、袋本体１１の表面に貼着された紙、プラスチックシート等薄板状材料から形成されている。この薄板状材料も、ポリ乳酸、ポリブチレンサクシネート、ポリエチレンサクシネート等の生分解性材料から形成したものが好ましい。
【００２５】
本発明において、掛止部材２０Ａの形状や貼着位置は、袋本体１１をカップ４０等に安定に掛止できる限り、特に限定されないが、本実施例のドリップバッグ１０Ａにおいては、掛止部材２０Ａは袋本体１１の対向する二面の外表面にそれぞれ貼着されている。図１（ａ）において、細かいドットで塗りつぶした部分が、袋本体１１の外表面に貼着された部分であり、粗いドットで塗りつぶした部分が貼着されていない部分である。
【００２６】
より具体的には、掛止部材２０Ａは、貼着部２２とアーム部２３と掛止片２４からなり、これらは１枚の薄板状材料の打ち抜きにより形成されている。ここで、アーム部２３は、その下端が貼着部２２と連続し、上端が掛止片２４と連続し、アーム部２３と掛止片２４が、袋本体１１から引き起こし可能に形成されている。また、貼着部２２と連続するアーム部２３の下端部は、掛止部材２０Ａの幅方向の中央部に位置している。
【００２７】
貼着部２２は、そのほぼ全面が袋本体１１の外表面に貼着されており、この貼着部位は、アーム部２３の下端部を下方と両側方から囲む凹字形状をなしている。
【００２８】
掛止片２４は掛止部材２０Ａの外周部全周にわたって形成され、アーム部２３の上端中央部と連続している。また、掛止片２４は、その上部両側に、アーム部２３の上端から線Ｌ１で切り離されて略水平方向に延びた引っ掛け部２５を有する。この引っ掛け部２５の掛止部材２０Ａの中央部側端部には折れ線Ｌ２が形成され、掛止片２４の下部において、前記折れ線Ｌ２の延長線上に折れ線Ｌ３が形成されている。
【００２９】
補強片２１は、掛止部材２０Ａの上方と両側方において掛止部材２０Ａと当接する位置にあり、袋本体１１の外表面に貼着されている。補強片２１をこのように掛止部材２０Ａに当接する位置に形成すると、一枚の薄板状材料の打ち抜きにより、容易に、かつ薄板状材料の無駄を抑えて低コストに、掛止部材２０Ａと補強片２１とを同時に形成できるので好ましい。また、補強片２１は、袋本体１１の上部開口部１５に沿った帯状部分を有し、その帯状部分には、該帯状部分をコ字状に折るための折れ線Ｌ４が形成されている。
【００３０】
このドリップバッグ１０Ａの使用方法としては、まず、図１（ｂ）に示したように、アーム部２３と掛止片２４を引き起こす。次に図１（ｃ）に示したように、カップ４０の開口部の径に合わせてさらにアーム部２３と掛止片２４を引き起こし、掛止片２４をカップ４０の側壁４１にかけ、掛止片２４を折れ線Ｌ２、Ｌ３で折り曲げる。これにより、掛止片２４の引っ掛け部２５がカップ４０の開口部壁４２に載るように引っ掛かり、掛止部材２０Ａがカップ４０に極めて安定に掛止される。また、袋本体１１は、アーム部２３によって対向する二面から互いに反対方向に引っ張られ、上部開口部１５が大きく広がり、その開口形状が、折れ線Ｌ４を有する補強片２１によって良好に維持される。
【００３１】
そこで、この大きく開いた上部開口部１５からカバーシート３を通して注湯する。袋本体１１の上部開口部１５は、カバーシート３で覆われているので、この注湯時に抽出材料１２が袋本体１１内から溢れ出ることはなく、また、抽出材料１２には、適度な蒸らし効果を得ることもできる。
【００３２】
このドリップバッグ１０Ａは、次のように製造することができる。まず、図３Ａに示すように、帯状のフィルターシート１に掛止部材２０Ａを所定間隔で貼着した掛止部材付フィルターシート２を得る。このとき、掛止部材２０Ａは、そのドリップバッグにおける上辺が帯状のフィルターシート１の長手方向の縁辺に向くようにする。なお、このような掛止部材付フィルターシート２としては、市販の掛止部材付フィルターシート２を使用してもよい。
【００３３】
次に、帯状の掛止部材付フィルターシート２を製袋充填機（図示せず）にかけ、その長手方向に折山ができ、掛止部材２０Ａの貼着面が外側になるように掛止部材付フィルターシート２を折り曲げると共に、帯状のカバーシート３もその製袋充填機にかけ、その長手方向に折山ができるように折り曲げる。なお、ここで製袋充填機としては、カバーシートのない従前のドリップバッグの製造に使用されていたものに、ガイド、セーラー等のシートの折り曲げ手段を付加し、シートの長手方向のシールを２列で平行に行えるようにしたものを使用することができる。
【００３４】
そして、図３Ｂに示すように、掛止部材付フィルターシート２の折山の内側にカバーシート３の折山が挿入されるようにし、図３Ｃに示すように、これらのシート２，３の縁辺同士をシールして、ドリップバッグ１０Ａの上端開口部１５のシール部１６を形成し、必要に応じてトリミングする。
【００３５】
次いで、これらのシート２，３を、所定間隔で貼着されている掛止部材２０Ａ相互の間で、シート２，３の幅方向にシールすることによりドリップバッグ１０Ａの側縁のシール部１４を形成する。また、このシール部１４により形成される袋状部分の内部に抽出材料を充填する。こうして、シート２，３の幅方向のシールと抽出材料１２の充填を順次繰り返す。そして、シール部１４で上下に切り離すことにより、個々のドリップバッグ１０Ａを得る。
【００３６】
このように、このドリップバッグ１０Ａの製造方法によれば、従前の製袋充填機を利用し、かつ帯状の掛止部材付フィルターシート２と帯状のカバーシートを予め貼着しておくことなく、簡便にカバーシート付ドリップバッグ１０Ａを得ることが可能となる。
【００３７】
本発明のドリップバッグは、種々の態様とることができる。
【００３８】
例えば、図４に示すドリップバッグ１０Ｂのように、上述の図１の掛止部材２０Ａに代えて、係止用凹部３１を有する掛止片３０が矢印のように引き起こし可能に形成された掛止部材２０Ｂを設けてもよい。また、袋本体１１をカップ４０に掛止できる限り、掛止部材は袋本体１１の１面のみに設けてもよい。
【００３９】
さらに、図５（ａ）に示すドリップバッグ１０Ｃのように、袋本体１１の対向する二面に設けた掛止部材２０Ｃが、袋本体１１をカップ４０に掛止させるときにＶ字形に開くようにしてもよい。同図（ｂ）はこのドリップバッグ１０Ｃの平面図である。このドリップバッグ１０Ｃは、袋本体１１の対向する外表面に貼着された一対の掛止部材２０Ｃの上端部が袋本体１１の一方の側縁１７まで延設されており、この延設されている縁辺２６が、袋本体１１の側縁のシール部１４と接着している。そして、この接着部２７側とその反対側にそれぞれ一対の掛止片３２，３３が、掛止部材２０Ｃと袋本体１１との貼着面（図５（ｂ）中ドットで塗りつぶした部分）から引き起こし可能に形成されている。
【００４０】
このドリップバッグ１０Ｃは、図３Ａ〜図３Ｃに示した方法に準じて製造する場合に、掛止部材付フィルターシート２とカバーシート３の縁辺同士をシール後、これらのシート２，３を幅方向にシールしてドリップバッグの側縁のシール部１４を形成するときに（図３Ｃ参照）、一対の掛止部材２０Ｃの縁辺２６同士も同時にシールすることにより、簡便な工程で製造することができる。
【産業上の利用可能性】
【００４１】
本発明は、コーヒー粉をはじめとする種々の抽出材料をドリップし、その抽出液を手軽に得る抽出具として有用である。
【図面の簡単な説明】
【００４２】
【図１】実施例のドリップバッグ１０Ａの平面図（ａ）及び、使用状態の斜視図（ｂ）（ｃ）である。
【図２】実施例のドリップバッグの断面図である。
【図３Ａ】実施例のドリップバッグの製造方法の説明図である。
【図３Ｂ】実施例のドリップバッグの製造方法の説明図である。
【図３Ｃ】実施例のドリップバッグの製造方法の説明図である。
【図４】実施例のドリップバッグ１０Ｂの使用状態の斜視図である。
【図５】実施例のドリップバッグ１０Ｃの使用状態の斜視図及び平面図である。
【図６Ａ】従来のカバーシート付きドリップバッグの製造方法の説明図である。
【図６Ｂ】従来のカバーシート付きドリップバッグの製造方法の説明図である。
【図７】従来のカバーシート付きドリップバッグの断面図である。
【符号の説明】
【００４３】
１    フィルターシート
１ａ  フィルターシートの内面
２    掛止部材付フィルターシート
３    カバーシート
３ａ  カバーシートの内面
４    貼り合わせシート
５    シール部分
６    シール部分
７    コーヒー粉
１０    従来のドリップバッグ
１０Ａ、１０Ｂ、１０Ｃ  実施例のドリップバッグ
１１    袋本体
１２    抽出材料
１３    底部
１４    側縁のシール部
１５    上部開口部
１６    上縁開口部のシール部
１７    側縁
２０、２０Ａ、２０Ｂ、２０Ｃ    掛止部材
２１    補強片
２２    貼着部
２３    アーム部
２４    掛止片
２５    引っ掛け部
２６    縁辺
２７    接着部
３０    掛止片
３１    係止用凹部
３２    掛止片
３３    掛止片
４０    カップ
４１    側壁
４２    開口部壁
【図１】
0005071640.tif 000002
【図２】
0005071640.tif 000003
【図３Ａ】
0005071640.tif 000004
【図３Ｂ】
0005071640.tif 000005
【図３Ｃ】
0005071640.tif 000006
【図４】
0005071640.tif 000007
【図５】
0005071640.tif 000008
【図６Ａ】
0005071640.tif 000009
【図６Ｂ】
0005071640.tif 000010
【図７】
0005071640.tif 000011